(57)【特許請求の範囲】
【請求項１】
天板と前記天板を支持して床面に起立する脚体とを備える家具本体と、物品を収容可能な棚本体と、を組み合わせてなる天板付き家具であって、
前記棚本体は、
前記天板の奥行方向についての寸法が互いに異なる第１の棚板および第２の棚板と、
前記第１の棚板と前記第２の棚板とを、互いに前記脚体の起立方向に面対向して離間するように連結する連結部と、
を備え、
前記家具本体は、前記脚体の上端面のうち前記奥行方向の奥側に、前記天板と前記第１の棚板とが前記奥行方向に並ぶ第１の状態と、前記天板と前記第２の棚板とが前記奥行方向に並ぶ第２の状態とが択一的に選択されるよう、前記棚本体を前記起立方向に受けて支持する棚支持部を備えたことを特徴とする天板付き家具。
【請求項２】
前記第１の棚板または前記第２の棚板は、前記棚支持部に支持されて着脱可能に固定されることを特徴とする請求項１に記載の天板付き家具。
【請求項３】
前記連結部は、前記第１の棚板の幅方向端部と前記第２の棚板の幅方向端部とを連結する側板であり、
前記側板は、前記脚体に着脱可能に固定されることを特徴とする請求項１または２に記載の天板付き家具。
【請求項４】
前記第１の棚板は、前記奥行方向について前記棚支持部と同じ寸法を有し、
前記第２の棚板は、前記第１の棚板よりも前記起立方向の上側に位置し、且つ、前記奥行方向について前記第１の棚板よりも長い寸法を有して、前記棚支持部の前記奥行方向の寸法分、前記第１の棚板よりも前記奥行方向の手前側に延在することを特徴とする請求項１〜３のいずれか一つに記載の天板付き家具。
【請求項５】
前記第１の棚板における前記奥行方向の奥端部と前記第２の棚板における前記奥行方向の奥端部とを連結する背板をさらに備え、
前記背板の上端部は、前記第１の棚板および前記第２の棚板のうち前記起立方向の上側に位置する棚板の上面よりも上方に突出することを特徴とする請求項１〜４のいずれか一つに記載の天板付き家具。
【発明の詳細な説明】
【技術分野】
【０００１】
本発明は、天板を有する天板付き家具に関する。
【背景技術】
【０００２】
従来、用途に応じて机上面の面積を調節することが可能な机等の天板付き家具が公知である。このような天板付き家具として、例えば、左右一対の脚体の上部に天板が支持された構造を有する机本体と、書籍等の物品を収容する棚本体とを組み合わせて構成され、天板の奥行方向の奥側に補助天板を追加配置して、これら天板および補助天板の各上面を、連続した一面とし、これにより、机本体の机上面を拡張する棚付き机がある（特許文献１，２参照）。
【０００３】
特許文献１、２に記載の棚付き机は、机上面に載置される書籍や電子機器等の物品の数量や大きさに対応して、机上面の面積を適宜調節できる点で有効である。しかしながら、この棚付き机の机上面を調節するためには、以下に示す作業を行って、机本体と棚本体とを組み替えなければならない。
【０００４】
すなわち、机上面を拡張する場合、まず、机本体から棚本体を取り外し、つぎに、一対の脚体から天板を取り外す等して、天板の奥行方向の奥側に空きスペースを形成する。ついで、この空きスペース内に補助天板を準備し、天板の奥行方向の奥側に補助天板が連続する構造を形成する。これにより、天板の奥行方向の寸法に、この補助天板の奥行方向の寸法を加え、この結果、机上面が拡張する。その後、机本体と棚本体とを取り付けて棚付き机を再構成し、机上面の拡張作業が完了する。一方、拡張後の机上面を拡張前の元の状態に戻す場合、上述した机上面の拡張作業とは逆の作業を行わなければならない。このように、特許文献１，２に記載の棚付き机では、机上面を調節する作業に多大な手間がかかってしまい、簡易に机上面の面積を調節することができない。
【０００５】
一方、机上面の面積を調節することが可能な天板付き家具として、特許文献１，２に記載の棚付き机以外に、例えば、棚本体の棚板を補助天板として利用して机本体の机上面を拡張する棚付き机がある（特許文献３参照）。
【０００６】
特許文献３に記載の棚付き机において、棚本体は、通常、机本体の後側辺部上面に立設するよう、天板の左右の各天側板に着脱可能に取り付けられる。この際、棚本体は、机本体の天板の上方に棚板を位置させている。一方、机上面を拡張する場合、棚本体は、机本体から取り外され、前後逆向きに反転された後、各天側板の後端部から突出する各ボルトに掛けられる。この際、棚本体は、天板の奥行方向の奥側に棚板を位置させるとともに、これら天板および棚板の各上面が連続した一面を形成する姿勢となる。
【０００７】
上述したように、特許文献３に記載の棚付き机では、机本体に対する棚本体の付け替えという簡易な作業を行うことにより、机上面が拡張され、あるいは、拡張後の机上面が拡張前の元の状態に戻される。このような特許文献３に記載の棚付き机は、机上面の面積の調整に要する作業を特許文献１，２に比べて単純化でき、それ故、簡易に机上面を調節する点で有効である。
【先行技術文献】
【特許文献】
【０００８】
【特許文献１】特許第３４４８８４２号公報
【特許文献２】特許第５１１９７５０号公報
【特許文献３】実公昭５７−３３８０１号公報
【発明の概要】
【発明が解決しようとする課題】
【０００９】
しかしながら、上述した特許文献３に記載の従来技術では、机本体の奥行方向の奥端部（後端部）に棚本体を取り付けた状態において、棚本体を掛けた各ボルトの剪断方向に、この棚本体からの荷重が加わってしまう。それ故、机本体への棚本体の取付強度が十分とは言えず、棚本体の重量や棚板上に載置された物品の重量、あるいは棚本体に加わる外的衝撃の影響により、棚本体を支えきれず落下させてしまう虞がある。
【００１０】
本発明は、上記に鑑みてなされたものであって、棚本体の強固な取付強度を確保できるとともに、簡易に机上面の面積を調節することができる天板付き家具を提供することを目的とする。
【課題を解決するための手段】
【００１１】
上述した課題を解決し、目的を達成するために、本発明にかかる天板付き家具は、天板と前記天板を支持して床面に起立する脚体とを備える家具本体と、物品を収容可能な棚本体と、を組み合わせてなる天板付き家具であって、前記棚本体は、前記天板の奥行方向についての寸法が互いに異なる第１の棚板および第２の棚板と、前記第１の棚板と前記第２の棚板とを、互いに前記脚体の起立方向に面対向して離間するように連結する連結部と、を備え、前記家具本体は、前記脚体の上端面のうち前記奥行方向の奥側に、前記天板と前記第１の棚板とが前記奥行方向に並ぶ第１の状態と、前記天板と前記第２の棚板とが前記奥行方向に並ぶ第２の状態とが択一的に選択されるよう、前記棚本体を前記起立方向に受けて支持する棚支持部を備えたことを特徴とする。
【００１２】
また、本発明にかかる天板付き家具は、上記の発明において、前記第１の棚板または前記第２の棚板は、前記棚支持部に支持されて着脱可能に固定されることを特徴とする。
【００１３】
また、本発明にかかる天板付き家具は、上記の発明において、前記連結部は、前記第１の棚板の幅方向端部と前記第２の棚板の幅方向端部とを連結する側板であり、前記側板は、前記脚体に着脱可能に固定されることを特徴とする。
【００１４】
また、本発明にかかる天板付き家具は、上記の発明において、前記第１の棚板は、前記奥行方向について前記棚支持部と同じ寸法を有し、前記第２の棚板は、前記第１の棚板よりも前記起立方向の上側に位置し、且つ、前記奥行方向について前記第１の棚板よりも長い寸法を有して、前記棚支持部の前記奥行方向の寸法分、前記第１の棚板よりも前記奥行方向の手前側に延在することを特徴とする。
【００１５】
また、本発明にかかる天板付き家具は、上記の発明において、前記第１の棚板における前記奥行方向の奥端部と前記第２の棚板における前記奥行方向の奥端部とを連結する背板をさらに備え、前記背板の上端部は、前記第１の棚板および前記第２の棚板のうち前記起立方向の上側に位置する棚板の上面よりも上方に突出することを特徴とする。
【発明の効果】
【００１６】
本発明によれば、棚本体の強固な取付強度を確保できるとともに、簡易に机上面の面積を調節することができるという効果を奏する。
【図面の簡単な説明】
【００１７】
【図１】図１は、本発明の実施の形態にかかる天板付き家具の一状態の構成例を示す斜視図である。
【図２】図２は、本発明の実施の形態にかかる天板付き家具の別状態の構成例を示す斜視図である。
【図３】図３は、本発明の実施の形態にかかる天板付き家具を机本体と棚本体とに分解した状態を示す斜視図である。
【図４】図４は、本発明の実施の形態における机本体の一構成例を示す後方斜視図である。
【図５】図５は、本発明の実施の形態における棚本体の一構成例を示す正面図である。
【図６】図６は、本発明の実施の形態における棚本体の一構成例を示す側面図である。
【図７】図７は、本発明の実施の形態における棚本体の一構成例を示す下面図である。
【図８】図８は、本発明の実施の形態にかかる天板付き家具の第１机状態の一例を示す正面図である。
【図９】図９は、本発明の実施の形態にかかる天板付き家具の第１机状態の一例を示す側面図である。
【図１０】図１０は、本発明の実施の形態にかかる天板付き家具の第２机状態の一例を示す正面図である。
【図１１】図１１は、本発明の実施の形態にかかる天板付き家具の第２机状態の一例を示す側面図である。
【図１２】図１２は、組替作業時の机本体と棚本体との接合を説明する図である。
【発明を実施するための形態】
【００１８】
以下に、添付図面を参照して、本発明にかかる天板付き家具の好適な実施の形態について詳細に説明する。なお、本実施の形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１９】
（天板付き家具の構成）
まず、本発明の実施の形態にかかる天板付き家具の構成について説明する。図１は、本発明の実施の形態にかかる天板付き家具の一状態の構成例を示す斜視図である。図２は、本発明の実施の形態にかかる天板付き家具の別状態の構成例を示す斜視図である。図３は、本発明の実施の形態にかかる天板付き家具を机本体と棚本体とに分解した状態を示す斜視図である。図１〜３に示すように、本発明の実施の形態にかかる天板付き家具１は、自立式の机としての機能を有する机本体２と、物品を収容可能な棚本体３とを備え、これらを用途に応じた状態に組み合わせてなる。
【００２０】
机本体２は、天板付き家具１の机機能の主体を担う家具本体の一例である。本実施の形態において、机本体２は、図１〜３に示すように、天板２１および脚体２２等を備える。天板２１は、天板付き家具１が机として使用される際の机上面を形成する平板部材である。脚体２２は、机本体２の自立（延いては天板付き家具１の自立）を可能にする構造体であり、自身の上端面に天板２１を支持して床面に起立する。また、机本体２は、図３に示すように、脚体２２の上端面のうち天板２１の奥行方向Ｆ１の奥側に、棚支持部２０ａ，２０ｂを備える。棚支持部２０ａ，２０ｂは、棚本体３を、机本体２の起立方向Ｆ３に受けて着脱可能に支持する。
【００２１】
棚本体３は、天板付き家具１の棚機能の主体を担う棚構造体である。本実施の形態において、棚本体３は、上下２段式の棚構造体であり、図１〜３に示すように、互いに脚体２２の起立方向Ｆ３に面対向して離間する下棚板３１および上棚板３２等を備える。下棚板３１および上棚板３２は、各々、天板２１の奥行方向Ｆ１についての寸法（以下、奥行寸法と適宜いう）が互いに異なる第１の棚板および第２の棚板の一例である。具体的には、図１〜３に示すように、上棚板３２は、下棚板３１に比して長い奥行寸法を有する。
【００２２】
このような棚本体３は、天板付き家具１の用途に応じ、上述した机本体２に対して組み替え（付け替え）可能である。すなわち、棚本体３は、天板付き家具１の用途に応じて第１机状態と第２机状態とが択一的に選択されるように、机本体２の棚支持部２０ａ，２０ｂに支持されて、脚体２２に対し着脱可能に固定される。ここで、第１机状態は、図１に示すように、机本体２の天板２１と棚本体３の下棚板３１とが奥行方向Ｆ１に並ぶ天板付き家具１の使用状態（第１の状態）である。第２机状態は、図２に示すように、机本体２の天板２１と棚本体３の上棚板３２とが奥行方向Ｆ１に並ぶ天板付き家具１の使用状態（第２の状態）である。
【００２３】
（机本体の構成）
つぎに、本実施の形態における机本体２の構成について説明する。図４は、本発明の実施の形態における机本体の一構成例を示す後方斜視図である。図４に示すように、本実施の形態における机本体２は、机上面をなす天板２１と、天板２１等を支持して起立する脚体２２と、物品を収容可能な引き出しユニット２３とを備える。また、机本体２は、引き出しユニット２３を支持する引き出し支持体２４と、幕板２５と、脚体２２を補強する脚補強体２６と、物品を吊り下げ可能なフック２７とを備える。さらに、机本体２は、脚体２２の上端面のうち奥行方向Ｆ１の奥側に、上述した棚本体３を着脱可能に支持する棚支持部２０ａ，２０ｂを備える。
【００２４】
天板２１は、机の天板等のように、使用者が天板付き家具１を机等の用途に使用する際、この用途に応じた作業に用いられる平板部材である。天板２１の上面は、机としての天板付き家具１の机上面となる。この天板２１の上面には、例えば、書籍、文房具、パーソナルコンピュータ（パソコン）、タブレット端末や電子計算機等の各種物品が、天板付き家具１の用途に応じて適宜載置される。
【００２５】
脚体２２は、机本体２（延いては天板付き家具１）が床面に自立するための脚として機能するものである。本実施の形態において、脚体２２は、図４に示すように、天板２１等を協同して支持する右脚体２２ａと左脚体２２ｂとによって構成される。右脚体２２ａおよび左脚体２２ｂは、例えば図４に示すように、Ａ字形状の構造体であり、机本体２の幅方向Ｆ２に所定の間隔をあけて離間するように配置される。なお、右脚体２２ａおよび左脚体２２ｂは、Ａ字形状のものに限定されず、平板形状またはＨ字形状等、天板２１等を支持して床面に自立可能な形状のものであればよい。
【００２６】
これら右脚体２２ａおよび左脚体２２ｂの互いに対向する各内壁面には、引き出し支持体２４、幕板２５、および脚補強体２６が、右脚体２２ａと左脚体２２ｂとに挟まれるように接合される。この際、引き出し支持体２４、幕板２５、および脚補強体２６は、図４に示すように、右脚体２２ａおよび左脚体２２ｂの各内壁面に設けられた複数の接合金具に嵌め込まれ、ねじ止め等されて、右脚体２２ａおよび左脚体２２ｂに固定される。
【００２７】
また、右脚体２２ａおよび左脚体２２ｂの各内壁面間に接合された引き出し支持体２４の上面には、天板２１の下面に固定された状態の引き出しユニット２３が配置される。引き出しユニット２３は、引き出し支持体２４によって支持された状態で、ねじ止め等により、右脚体２２ａおよび左脚体２２ｂの各内壁面に固定される。この引き出しユニット２３の接合に伴い、右脚体２２ａおよび左脚体２２ｂの各上端面には、天板２１の幅方向Ｆ２における両端部の各下面が各々載置される。この構造により、右脚体２２ａおよび左脚体２２ｂは、自身の各上端面に天板２１を受けて支持する。右脚体２２ａおよび左脚体２２ｂからなる脚体２２は、上述した状態を維持しながら、机本体２の起立方向Ｆ３の上方に天板２１の上面を向けて自立する。
【００２８】
引き出し支持体２４は、引き出しユニット２３の支持面を有し且つ机本体２の背面の一部をなす側面視Ｌ字形状の構造体である。図４に示すように、引き出し支持体２４は、右脚体２２ａおよび左脚体２２ｂの各内壁面のうち、起立方向Ｆ３の上側且つ奥行方向Ｆ１の奥側の部位に固定される。引き出し支持体２４は、右脚体２２ａおよび左脚体２２ｂに挟まれ固定された状態で、上述した引き出しユニット２３を支持する。
【００２９】
幕板２５は、机本体２の背面の一部をなす平板部材である。図４に示すように、幕板２５は、右脚体２２ａおよび左脚体２２ｂの各内壁面のうち、奥行方向Ｆ１の奥側であって引き出し支持体２４の下面よりも起立方向Ｆ３の下側の部位に固定される。この際、幕板２５の上端部と引き出し支持体２４の下端部との間には、所定の間隙が形成される。
【００３０】
脚補強体２６は、側面視Ｌ字形状の構造体であり、図４に示すように、右脚体２２ａおよび左脚体２２ｂの各内壁面のうち、奥行方向Ｆ１の奥側であって幕板２５の下端部よりも起立方向Ｆ３の下側の部位に固定される。脚補強体２６は、上述した引き出し支持体２４等と協同して、脚体２２の強度、特に幅方向Ｆ２の強度を補強する。
【００３１】
また、机本体２は、図４に示すように、脚体２２の上端面のうち奥行方向Ｆ１の奥側に、図１〜３に示した棚本体３を着脱可能に支持する棚支持部２０ａ，２０ｂを備える。本実施の形態において、幅方向Ｆ２の右側の棚支持部２０ａは、右脚体２２ａの上端面のうち、奥行方向Ｆ１の奥側、詳細には、天板２１における幅方向Ｆ２の右側下面を受けて支持する支持面よりも奥行方向Ｆ１の奥側に形成される。この棚支持部２０ａには、図４に示すように、棚本体３における幅方向Ｆ２の右側の部位と右脚体２２ａとを接合するための突起部２８ａおよび挿入孔２９ａが設けられる。一方、幅方向Ｆ２の左側の棚支持部２０ｂは、左脚体２２ｂの上端面のうち、奥行方向Ｆ１の奥側、詳細には、天板２１における幅方向Ｆ２の左側下面を受けて支持する支持面よりも奥行方向Ｆ１の奥側に形成される。この棚支持部２０ｂには、図４に示すように、棚本体３における幅方向Ｆ２の左側の部位と左脚体２２ｂとを接合するための突起部２８ｂおよび挿入孔２９ｂが設けられる。このような左右一対の棚支持部２０ａ，２０ｂは、上述した天板付き家具１の第１机状態（図１参照）と第２机状態（図２参照）とが択一的に選択されるよう、棚本体３を起立方向Ｆ３に受けて着脱可能に支持する。
【００３２】
（棚本体の構成）
つぎに、本実施の形態における棚本体３の構成について説明する。図５は、本発明の実施の形態における棚本体の一構成例を示す正面図である。図６は、本発明の実施の形態における棚本体の一構成例を示す側面図である。図７は、本発明の実施の形態における棚本体の一構成例を示す下面図である。図５〜７に示すように、本実施の形態における棚本体３は、互いに奥行寸法が異なる下棚板３１および上棚板３２と、これらの下棚板３１と上棚板３２とを上下に離間した状態で連結する側板３３と、棚本体３の背面をなす背板３４と、上棚板３２による物品収容空間を仕切る複数の仕切り体３５とを備える。
【００３３】
下棚板３１は、棚本体３に形成される上下２段の物品収容空間のうち下段の物品収容空間の底面をなす棚板である。具体的には、図５，６に示すように、下棚板３１は、棚本体３の幅方向Ｆ２を長手とする平板部材であり、上棚板３２よりも起立方向Ｆ３の下側に位置する。また、下棚板３１は、上述した天板２１の奥行方向Ｆ１について、図４に示した脚体２２の棚支持部２０ａ，２０ｂと同じ奥行寸法Ｄ１を有する。この下棚板３１の奥行寸法Ｄ１は、上棚板３２と異なる寸法であり、具体的には、図６に示すように、上棚板３２の奥行寸法Ｄ２よりも短い。また、下棚板３１の奥行寸法Ｄ１は、右側板３３ａおよび左側板３３ｂの各奥行寸法（すなわち各板幅）と同じである。一方、下棚板３１の幅方向Ｆ２の長さ（すなわち幅寸法）は、上述した天板２１に比して側板３３の厚み分、短い。
【００３４】
このような下棚板３１を底面とする下段の物品収容空間は、下棚板３１と上棚板３２と側板３３（詳細には右側板３３ａおよび左側板３３ｂ）と背板３４とによって囲まれる空間である。この下段の物品収容空間は、棚本体３の奥行方向Ｆ１の手前側に開口しており、この開口を通じ、物品を下棚板３１上に載置して収容することができる。また、この開口を通じ、下棚板３１上の収容物品を、この下段の物品収容空間から取り出すことができる。以下、この下棚板３１を底面とする下段の物品収容空間は、「下棚板３１による物品収容空間」と適宜いう。
【００３５】
上棚板３２は、棚本体３に形成される上下２段の物品収容空間のうち上段の物品収容空間の底面をなす棚板である。具体的には、図５，６に示すように、上棚板３２は、棚本体３の幅方向Ｆ２を長手とする平板部材であり、下棚板３１よりも起立方向Ｆ３の上側に位置する。且つ、上棚板３２は、図６に示すように、奥行方向Ｆ１について下棚板３１よりも長い奥行寸法Ｄ２を有して、上述した棚支持部２０ａ，２０ｂの奥行方向Ｆ１の寸法（すなわち奥行寸法Ｄ１）分、下棚板３１よりも奥行方向Ｆ１の手前側に延在する。
【００３６】
具体的には、上棚板３２は、図６に示すように、下棚板３１よりも奥行方向Ｆ１の手前側に延在する延在部３２ａと、下棚板３１と面対向する面対向部３２ｂとからなる。延在部３２ａの奥行寸法Ｄ３は、上述した棚支持部２０ａ，２０ｂの奥行寸法、すなわち下棚板３１の奥行寸法Ｄ１と同じである。面対向部３２ｂの奥行寸法は、この下棚板３１の奥行寸法Ｄ１と同じである。上棚板３２の奥行寸法Ｄ２は、延在部３２ａの奥行寸法Ｄ３と面対向部３２ｂの奥行寸法（＝Ｄ１）とを合算した寸法、すなわち、奥行寸法Ｄ１の２倍の寸法である。一方、上棚板３２の幅方向Ｆ２の長さ（すなわち幅寸法）は、上述した天板２１の幅寸法と同じである。
【００３７】
このような上棚板３２を底面とする物品収容空間が、棚本体３における上段の物品収容空間となる。この上段の物品収容空間は、起立方向Ｆ３の下側を除く略全域に亘り開放された空間であり、奥行方向Ｆ１の手前側等、所望の開放方向から物品を上棚板３２上に載置して収容することができる。また、所望の開放方向から、上棚板３２上の収容物品、すなわち上段の物品収容空間内の物品を取り出すことができる。以下、この上棚板３２を底面とする上段の物品収容空間は、「上棚板３２による物品収容空間」と適宜いう。
【００３８】
ここで、本実施の形態において、「寸法が同じ」とは、比較対象の寸法同士が同寸法である場合は勿論、比較対象の寸法同士の差が設計上の寸法公差内である場合も含める。すなわち、「寸法が異なる」とは、比較対象の寸法同士の差が設計上の寸法公差を超過する場合をいう。
【００３９】
側板３３は、上述した下棚板３１と上棚板３２とを、互いに脚体２２（図１，２等参照）の起立方向Ｆ３に面対向して離間するように連結する連結部として機能する。具体的には、図５に示すように、側板３３は、棚本体３の幅方向Ｆ２の右側面をなす右側板３３ａと左側面をなす左側板３３ｂとによって構成される。右側板３３ａおよび左側板３３ｂの互いに対向する各内壁面のうち起立方向Ｆ３の下端部には、図５に示すように、下棚板３１の幅方向Ｆ２の各端部が、ねじ止め等によって各々接合される。これにより、下棚板３１は、右側板３３ａおよび左側板３３ｂの各内壁面の下端部に挟まれるような状態で固定される。一方、右側板３３ａおよび左側板３３ｂの起立方向Ｆ３の各上端面には、図５に示すように、上棚板３２の幅方向Ｆ２の各端部が、ねじ止め等によって各々接合される。これにより、上棚板３２は、右側板３３ａおよび左側板３３ｂの各上端面に支持されるような状態で固定される。
【００４０】
上述したような固定構造により、右側板３３ａおよび左側板３３ｂは、下棚板３１の幅方向Ｆ２の各端部と上棚板３２の幅方向Ｆ２の各端部とを各々連結する。これら右側板３３ａおよび左側板３３ｂによって連結された下棚板３１および上棚板３２は、図５に示すように、互いに起立方向Ｆ３に面対向して離間した状態、望ましくは、互いに平行をなして起立方向Ｆ３に離間した状態になる。
【００４１】
背板３４は、棚本体３の背面（奥行方向Ｆ１の奥端面）をなす板状部材である。具体的には、図５〜７に示すように、背板３４は、下棚板３１における奥行方向Ｆ１の奥端部と、上棚板３２における奥行方向Ｆ１の奥端部と、右側板３３ａにおける奥行方向Ｆ１の奥端部と、左側板３３ｂにおける奥行方向Ｆ１の奥端部とに、ねじ止め等によって固定される。これにより、背板３４は、これら下棚板３１、上棚板３２、右側板３３ａ、および左側板３３ｂの奥行方向Ｆ１の各奥端部同士を連結するとともに、下棚板３１による物品収容空間の奥行方向Ｆ１の奥側を閉じる。このような背板３４は、下棚板３１と上棚板３２と右側板３３ａと左側板３３ｂとによる矩形の接合構造の強度を補強する背面板（後面板）として機能する。
【００４２】
また、背板３４には、図５，６に示すように、下棚板３１による物品収容空間と棚本体３の背面外側とを通じる開口部３４ａが設けられる。本実施の形態において、開口部３４ａは、図５に示すように、背板３４の幅方向Ｆ２の各端部近傍に１つずつ（合計２つ）形成されるが、本発明において、背板３４における開口部３４ａの形成部位および形成数は、特に問われない。一方、背板３４における奥行方向Ｆ１の手前側の面（前面）のうち、上棚板３２の幅方向Ｆ２の中央部下面に相当する部位には、図５に示すように、棚補強板３０が固定配置されている。棚補強板３０は、上棚板３２の幅方向Ｆ２の中央部位を支持し、これにより、上棚板３２の強度を補強して上棚板３２の撓み等の変形を防止する。
【００４３】
さらに、背板３４は、図５，６に示すように、上棚板３２よりも起立方向Ｆ３の上側に突出する背板上部３４ｂを有する。背板上部３４ｂは、背板３４における起立方向Ｆ３の上側の端部（上端部）である。ここで、上棚板３２は、本実施の形態における棚本体３の上下２段の棚板（下棚板３１および上棚板３２）のうち起立方向Ｆ３の上側に位置する棚板である。背板上部３４ｂは、上棚板３２の幅方向Ｆ２の全域に亘り、上棚板３２の上面よりも上方に突出する。このような構造の背板上部３４ｂは、上棚板３２の上面に載置された物品が奥行方向Ｆ１の奥側へ落下することを防止する。
【００４４】
仕切り体３５は、上棚板３２による物品収容空間を上棚板３２の幅方向Ｆ２に沿って仕切る板状の構造体である。図５，６に示すように、仕切り体３５は、上棚板３２の上面のうち奥行方向Ｆ１の奥側に配置され、上棚板３２または背板３４に対し、幅方向Ｆ２に摺動可能且つ着脱可能に取り付けられる。このような仕切り体３５は、上棚板３２の幅方向Ｆ２に沿ってスライド可能であり、幅方向Ｆ２に沿ったスライドによって位置調整される。この結果、仕切り体３５は、例えば図５に示すように、上棚板３２による物品収容空間を、幅方向Ｆ２に並ぶ複数の物品収容空間に分ける。
【００４５】
なお、本実施の形態において、仕切り体３５は、図５等に示すように、上棚板３２の上面に３つ配置しているが、本発明において、仕切り体３５の配置数は、特に問われない。また、仕切り体３５は、天板付き家具１の用途に応じ、上棚板３２または背板３４から取り外されてもよい。すなわち、仕切り体３５は、棚本体３に配置されていなくてもよい。
【００４６】
ここで、棚本体３を机本体２に取り付けて天板付き家具１が構成される際、棚本体３の下棚板３１または上棚板３２は、机本体２の棚支持部２０ａ，２０ｂ（図４等参照）に支持されて固定される。例えば、本実施の形態では、上述した天板付き家具１の第１机状態または第２机状態に応じて、棚本体３の側板３３が机本体２の棚支持部２０ａ，２０ｂ（すなわち脚体２２の上端面）に着脱可能に固定される。あるいは、上棚板３２が棚支持部２０ａ、２０ｂに着脱可能に固定される。
【００４７】
すなわち、本実施の形態において、棚本体３の下面側には、机本体２の棚支持部２０ａ，２０ｂに着脱可能に接合する接合構造が設けられる。具体的には、図７に示すように、棚本体３は、上述の接合構造として、嵌合孔３６ａ，３６ｂ，３８ａ，３８ｂおよび挿入孔３７ａ，３７ｂ，３９ａ，３９ｂを備える。
【００４８】
嵌合孔３６ａおよび挿入孔３７ａは、図７に示すように、右側板３３ａの下端面に必要数（例えば１つまたは２つ）形成される。嵌合孔３６ａは、机本体２の棚支持部２０ａに形成された突起部２８ａを嵌め入れることが可能な孔である。挿入孔３７ａは、机本体２と棚本体３とを接合するための棒状の接合金具（図示せず）を挿入する孔である。一方、嵌合孔３６ｂおよび挿入孔３７ｂは、図７に示すように、左側板３３ｂの下端面に必要数（例えば１つまたは２つ）形成される。嵌合孔３６ｂは、机本体２の棚支持部２０ｂに形成された突起部２８ｂを嵌め入れることが可能な孔である。挿入孔３７ｂは、机本体２と棚本体３とを接合するための棒状の接合金具（図示せず）を挿入する孔である。
【００４９】
嵌合孔３８ａおよび挿入孔３９ａは、図７に示すように、上棚板３２の延在部３２ａにおける幅方向Ｆ２の右側の端部下面に必要数（例えば１つまたは２つ）形成される。嵌合孔３８ａは、上述した突起部２８ａを嵌め入れることが可能な孔である。挿入孔３９ａは、上述した棒状の接合金具（図示せず）を挿入する孔である。一方、嵌合孔３８ｂおよび挿入孔３９ｂは、図７に示すように、上棚板３２の延在部３２ａにおける幅方向Ｆ２の左側の端部下面に必要数（例えば１つまたは２つ）形成される。嵌合孔３８ｂは、上述した突起部２８ｂを嵌め入れることが可能な孔である。挿入孔３９ｂは、上述した棒状の接合金具（図示せず）を挿入する孔である。
【００５０】
なお、本実施の形態において、天板付き家具１の奥行方向Ｆ１、幅方向Ｆ２、および起立方向Ｆ３は、図１〜３に示すように定義される。すなわち、天板付き家具１の奥行方向Ｆ１は、机等として天板付き家具１を使用する使用者（図示せず）が椅子に座る等して天板付き家具１（詳細には机本体２）に向かう方向である。この奥行方向Ｆ１は、机本体２の脚体２２をなす右脚体２２ａと左脚体２２ｂとの対向方向と、天板２１に直交する方向（天板２１の上面の法線方向）との双方に対して垂直である。天板付き家具１の幅方向Ｆ２は、右脚体２２ａと左脚体２２ｂとの対向方向に対して平行な方向であり、且つ、天板２１に直交する方向に対して垂直な方向である。天板付き家具１の起立方向Ｆ３は、床面に起立した状態の天板付き家具１（詳細には机本体２）の上下方向であり、上述した奥行方向Ｆ１および幅方向Ｆ２に対して垂直である。
【００５１】
上述の奥行方向Ｆ１、幅方向Ｆ２、および起立方向Ｆ３は、天板付き家具１を構成する机本体２および棚本体３についても同様である。すなわち、図４〜７に示すように、上述の奥行方向Ｆ１、幅方向Ｆ２、および起立方向Ｆ３は、机本体２を構成する天板２１等の各構成部、および棚本体３を構成する下棚板３１等の各構成部についても同様である。
【００５２】
（天板付き家具の第１机状態）
つぎに、本発明の実施の形態にかかる天板付き家具１の第１机状態について説明する。図８は、本発明の実施の形態にかかる天板付き家具の第１机状態の一例を示す正面図である。図９は、本発明の実施の形態にかかる天板付き家具の第１机状態の一例を示す側面図である。
【００５３】
図８，９に示すように、天板付き家具１の第１机状態において、机本体２の天板２１および棚本体３の下棚板３１は、奥行方向Ｆ１に並んだ状態になる。詳細には、この第１机状態において、脚体２２を構成する右脚体２２ａおよび左脚体２２ｂは、天板２１の下面を支持し、且つ、この天板２１よりも奥行方向Ｆ１の奥側に、棚本体３の右側板３３ａおよび左側板３３ｂの各下端部を支持している。この際、下棚板３１、右側板３３ａ、および左側板３３ｂの各奥行寸法（図６に示す奥行寸法Ｄ１参照）が脚体２２における棚支持部２０ａ，２０ｂの奥行寸法と同じである故に、下棚板３１の奥行方向Ｆ１の手前端部は、下棚板３１の幅方向Ｆ２の全域に亘り、天板２１の奥行方向Ｆ１の奥端部に当接して連続する。この結果、下棚板３１の上面は、天板２１の上面に連続した状態（すなわち面一の状態）となる。
【００５４】
このような第１机状態において、天板付き家具１の机上面１０は、天板２１の上面によって形成される。ここで、机上面１０は、天板付き家具１の机として使用可能な面である。図９に示すように、第１机状態における机上面１０の奥行寸法Ｄ５は、天板２１の奥行寸法Ｄ４と同じになり、この机上面１０の面積は、天板２１の上面の面積と同じになる。
【００５５】
また、第１机状態において、下棚板３１の上面は、棚本体３の下段の物品収容空間（下棚板３１による物品収容空間）の底面をなすとともに、天板２１の上面に対し奥行方向Ｆ１の奥側に連続する。このような下棚板３１は、奥行方向Ｆ１の手前側から天板２１越しに、物品を容易に載置して収容でき、且つ、天板２１越しでの収容物品の取り出し並びに天板２１との間での物品の出し入れが可能な物品収容棚として機能する。
【００５６】
なお、第１机状態における下棚板３１上には、書籍、文房具、パソコン等の電気機器に例示される各種物品が載置（収容）可能である。例えば、下棚板３１上に電気機器を載置した場合、この電気機器に電力を供給する電源用コード等のコード類は、図８に示す背板３４の開口部３４ａを介して配線することができる。
【００５７】
一方、上述した第１机状態において、天板２１よりも起立方向Ｆ３の上側には、図８，９に示すように、上棚板３２が配置される。この上棚板３２は、第１机状態において、棚本体３の上段の物品収容空間（上棚板３２による物品収容空間）の底面をなすとともに、この上段の物品収容空間を、天板２１に比して起立方向Ｆ３の上側に形成する。すなわち、上述したように第１机状態において天板２１に連続する下棚板３１の起立方向Ｆ３の上方空間が、上棚板３２による物品収容空間として有効活用される。このような上棚板３２は、奥行方向Ｆ１の手前側等の所望の方向から物品を容易に載置して収容でき、収容物品を容易に取り出すことができ、且つ、天板２１や下棚板３１との間での物品の出し入れが可能な物品収容棚として機能する。
【００５８】
なお、第１机状態における上棚板３２上には、比較的背高な辞典等の書籍や照明装置等の電気機器に例示される各種物品が載置（収容）可能である。例えば、上棚板３２上に電気機器を載置した場合、この電気機器に電力を供給するコード類は、図８に示す背板３４の開口部３４ａを介して配線することができる。また、上棚板３２による物品収容空間は、この上棚板３２上の物品の寸法や載置数等に応じて、仕切り体３５により、適宜画定可能である。さらに、この上棚板３２上の物品の落下は、背板３４の上部すなわち背板上部３４ｂによって防止可能である。
【００５９】
他方、上述した第１机状態において、引き出しユニット２３は、奥行方向Ｆ１に出没可能であり、物品を出し入れ可能に収容する。机本体２の左右両側のフック２７は、物品を取り出し可能に吊り下げる。また、引き出し支持体２４は、その上端面によって下棚板３１の下面を起立方向Ｆ３に受け、これにより、脚体２２の棚支持部２０ａ，２０ｂによる棚本体３の支持を支援する。幕板２５は、図８に示すように、引き出し支持体２４と脚補強体２６との間に取り付けられて、机本体２の背面の一部を遮蔽するとともに、下棚板３１の幅方向Ｆ２の全域に亘り、引き出し支持体２４との間に間隙５を形成する。
【００６０】
（天板付き家具の第２机状態）
つぎに、本発明の実施の形態にかかる天板付き家具１の第２机状態について説明する。図１０は、本発明の実施の形態にかかる天板付き家具の第２机状態の一例を示す正面図である。図１１は、本発明の実施の形態にかかる天板付き家具の第２机状態の一例を示す側面図である。図１１には、棚本体３の構造を説明し易くするために、下棚板３１およびその近傍の一部側断面が図示されている。
【００６１】
図１０，１１に示すように、天板付き家具１の第２机状態において、机本体２の天板２１および棚本体３の上棚板３２は、奥行方向Ｆ１に並んだ状態になる。詳細には、この第２机状態において、脚体２２を構成する右脚体２２ａおよび左脚体２２ｂは、天板２１の下面を支持し、且つ、この天板２１よりも奥行方向Ｆ１の奥側に、棚本体３の上棚板３２における延在部３２ａの下端部（幅方向Ｆ２の各端部下面）を支持している。この際、延在部３２ａの奥行寸法（図６に示す奥行寸法Ｄ３参照）が脚体２２における棚支持部２０ａ，２０ｂの奥行寸法と同じである故に、上棚板３２の奥行方向Ｆ１の手前端部は、上棚板３２の幅方向Ｆ２の全域に亘り、天板２１の奥行方向Ｆ１の奥端部に当接して連続する。この結果、上棚板３２の上面は、天板２１の上面に連続した状態（すなわち面一の状態）となる。
【００６２】
このような第２机状態において、天板付き家具１の机上面１０は、図１１に示すように、天板２１および延在部３２ａの各上面によって形成される。この際、第２机状態における机上面１０の奥行寸法Ｄ５は、図１１に示すように、天板２１の奥行寸法Ｄ４に延在部３２ａの奥行寸法Ｄ３を加えた寸法になる。このように奥行寸法が拡張された机上面１０の面積は、天板２１の上面の面積と延在部３２ａの上面の面積とを合算したものになる。すなわち、第２机状態において、上棚板３２のうち延在部３２ａは、天板２１を奥行方向Ｆ１の奥側に拡張する補助天板として活用される。この結果、机上面１０の面積は、上述した第１机状態に比して、延在部３２ａの面積分、拡張される。
【００６３】
また、第２机状態において、上棚板３２のうち面対向部３２ｂの上面は、棚本体３の上段の物品収容空間の底面をなすとともに、延在部３２ａを介して天板２１の上面に連続する。このような上棚板３２の面対向部３２ｂは、奥行方向Ｆ１の手前側から天板２１越しに、物品を容易に載置して収容でき、且つ、天板２１越しでの収容物品の取り出し並びに天板２１との間での物品の出し入れが可能な物品収容棚として機能する。
【００６４】
なお、第２机状態における上棚板３２の面対向部３２ｂ上には、書籍、文房具、パソコンや照明装置等の電気機器に例示される各種物品が載置可能である。例えば、面対向部３２ｂ上に載置された電気機器に電力を供給するコード類は、図１０，１１に示す背板３４の開口部３４ａを介して配線することができる。また、面対向部３２ｂを底面とする物品収容空間は、この面対向部３２ｂ上の物品の寸法や載置数等に応じて、仕切り体３５により、適宜画定可能である。さらに、この面対向部３２ｂ上の物品の落下は、背板上部３４ｂによって防止可能である。
【００６５】
一方、上述した第２机状態において、天板２１よりも起立方向Ｆ３の下側には、図１０，１１に示すように、下棚板３１が配置される。この下棚板３１は、第２机状態において、棚本体３の下段の物品収容空間の底面をなすとともに、この下段の物品収容空間を、天板２１に比して起立方向Ｆ３の下側に形成する。すなわち、上述したように第２机状態において天板２１に連続する上棚板３２の起立方向Ｆ３の下方空間が、下棚板３１による物品収容空間として有効活用される。このような下棚板３１は、奥行方向Ｆ１の手前側から引き出し支持体２４と幕板２５との間隙５を介して、物品を収容でき且つ収容物品を取り出すことができる物品収容棚として機能する。特に、この下棚板３１による物品収容空間は、第２机状態において、天板２１または上棚板３２の上面に載置される電気機器のコード類を配線する配線ダクトとして活用可能である。
【００６６】
また、幕板２５は、図１０，１１に示すように、第２机状態において、下棚板３１による物品収容空間に通じる間隙５を確保するとともに、この下棚板３１の上面よりも起立方向Ｆ３の上側に突出する。このような幕板２５は、間隙５を介した下棚板３１上への物品の収容および下棚板３１上からの物品の取り出しを阻害せずに、この下棚板３１上の物品の落下を防止する。なお、幕板２５は、第２机状態においても、上述した第１机状態の場合と同様に机本体２の背面の一部を遮蔽する。
【００６７】
他方、上述した第２机状態において、引き出しユニット２３およびフック２７の各機能は、上述した第１机状態の場合と同様である。引き出し支持体２４は、その上端面によって上棚板３２の下面を起立方向Ｆ３に受け、これにより、脚体２２の棚支持部２０ａ，２０ｂによる棚本体３の支持を支援する。
【００６８】
（天板付き家具の机本体と棚本体との組替作業）
つぎに、本発明の実施の形態にかかる天板付き家具１の机本体２および棚本体３の組替作業について説明する。天板付き家具１は、机本体２および棚本体３（図３参照）の組替作業によって、上述した第１机状態（図１参照）または第２机状態（図２参照）に切り替えられる。図１２は、組替作業時の机本体と棚本体との接合を説明する図である。以下では、図１〜３および図１２を参照しつつ、第１机状態の天板付き家具１を第２机状態に組み替え、その後、第２机状態の天板付き家具１を第１机状態に組み替える場合を例示して、天板付き家具１の机本体２と棚本体３との組替作業を説明する。
【００６９】
まず、第１机状態の天板付き家具１を第２机状態に組み替える際、使用者は、第１机状態の天板付き家具１において、机本体２と棚本体３との固定状態を解除し、ついで、固定状態が解除された棚本体３を持ち上げて、図３に示すように、机本体２の棚支持部２０ａ，２０ｂから、棚本体３を取り外す。この際、使用者は、図１２に示すように、接合ねじ１６を緩める等して、右脚体２２ａの棚支持部２０ａから棚本体３の右側板３３ａを取り外す。特に図示しないが、使用者は、これと同様の作業を、机本体２の棚支持部２０ｂおよび棚本体３の左側板３３ｂについても行う。
【００７０】
続いて、使用者は、図１２に示すように右側板３３ａの挿入孔３７ａに取り付けられている接合金具１５を、上棚板３２の延在部３２ａにおける挿入孔３９ａ内に付け替える。また、使用者は、左側板３３ｂの挿入孔３７ｂ内に差し込まれている接合金具１５（図示せず）についても同様に、延在部３２ａの挿入孔３９ｂ内に付け替える。
【００７１】
つぎに、使用者は、上棚板３２の下面を机本体２の棚支持部２０ａ，２０ｂに近接させ、延在部３２ａの幅方向Ｆ２の各端部下面を、各々、棚支持部２０ａ，２０ｂに載置して取り付ける。この際、使用者は、右脚体２２ａにおける棚支持部２０ａの各突起部２８ａを延在部３２ａの各嵌合孔３８ａに各々嵌め込むとともに、延在部３２ａの挿入孔３９ａから突出した接合金具１５の部分を、この棚支持部２０ａの挿入孔２９ａ内に差し込む。これと同時に、使用者は、左脚体２２ｂにおける棚支持部２０ｂの各突起部２８ｂを延在部３２ａの各嵌合孔３８ｂに各々嵌め込むとともに、延在部３２ａの挿入孔３９ｂから突出した接合金具１５の部分を、この棚支持部２０ｂの挿入孔２９ｂ内に差し込む。その後、使用者は、これらの挿入孔２９ａ，２９ｂ内に差し込んだ各接合金具１５を、接合ねじ１６を締める等して各々ねじ止めする。この結果、上棚板３２は、延在部３２ａの下面が棚支持部２０ａ，２０ｂおよび引き出し支持体２４に支持されるよう、机本体２に取り付けられて固定される。このようにして、使用者は、天板付き家具１を、図１に示す第１机状態から図２に示す第２机状態に組み替える。
【００７２】
一方、第２机状態の天板付き家具１を第１机状態に組み替える際、使用者は、上述した第１机状態から第２机状態への組替作業とは逆の組替作業を行う。これにより、使用者は、右側板３３ａおよび左側板３３ｂの起立方向Ｆ３の各下端面を、各々、図３に示す机本体２の棚支持部２０ａ，２０ｂに載置して取り付ける。この際、使用者は、右脚体２２ａにおける棚支持部２０ａの各突起部２８ａを右側板３３ａの各嵌合孔３６ａに各々嵌め込むとともに、右側板３３ａの挿入孔３７ａから突出した接合金具１５の部分を、この棚支持部２０ａの挿入孔２９ａ内に差し込む（図１２参照）。これと同時に、使用者は、左脚体２２ｂにおける棚支持部２０ｂの各突起部２８ｂを左側板３３ｂの各嵌合孔３６ｂに各々嵌め込むとともに、左側板３３ｂの挿入孔３７ｂから突出した接合金具１５の部分を、この棚支持部２０ｂの挿入孔２９ｂ内に差し込む。その後、使用者は、これらの挿入孔２９ａ，２９ｂ内に差し込んだ各接合金具１５を、接合ねじ１６を締める等して各々ねじ止めする。この結果、右側板３３ａおよび左側板３３ｂは、下棚板３１の下面が引き出し支持体２４に支持されるよう、机本体２に取り付けられて固定される。このようにして、使用者は、天板付き家具１を、図２に示す第２机状態から図１に示す第１机状態に組み替える。
【００７３】
以上、説明したように、本発明の実施の形態では、脚体によって天板を支持しながら床面に起立する机本体と、第１の棚板および第２の棚板に物品を収容可能な棚本体と、を組み合わせてなる天板付き家具において、第１の棚板および第２の棚板の奥行寸法を異ならせ、これら第１の棚板と第２の棚板とを、互いに脚体の起立方向に面対向して離間するよう連結部によって連結している。さらには、机本体の脚体上端面のうち天板の奥行方向奥側に棚支持部を設け、天板と第１の棚板とが奥行方向に並ぶ第１机状態と、天板と第２の棚板とが奥行方向に並ぶ第２机状態とが択一的に選択されるよう、棚本体を棚支持部によって脚体の起立方向に受けて支持している。
【００７４】
このため、棚支持部に対する棚本体の付け替えにより、天板付き家具を第１机状態または第２机状態に簡易に組み替えできるとともに、天板付き家具が第１机状態または第２机状態のいずれであっても、脚体が自立（起立）する床面を支えにして、この脚体の上端面により、棚本体からの荷重を受け止めることができる。これにより、第１机状態または第２机状態に応じて、天板付き家具の机上面を簡易に拡張または復帰（拡張後の机上面に対して縮小）できるとともに、棚本体の重量や棚板上に載置された物品の重量、あるいは棚本体に加わる外的衝撃に対して、机本体と棚本体との取付強度を十分強化することができる。この結果、机本体（詳細には脚体）に対する棚本体の強固な取付強度を確保できるとともに、天板付き家具の机上面の面積を簡易に調節することができる。
【００７５】
これに加え、天板付き家具を第１机状態または第２机状態のいずれに組み替えた場合であっても、第１の棚板と第２の棚板とを、互いに脚体の起立方向に面対向して離間した状態に維持することができる。これにより、第１の棚板と第２の棚板との少なくとも一方の棚板としての機能を、第１机状態または第２机状態によらず、常に、確保することができる。この結果、第１の棚板および第２の棚板のうち天板の奥行方向の奥側に並んでいない棚板を、無駄にせず、物品収容棚等として有効活用することができる。
【００７６】
また、本発明の実施の形態では、第１の棚板または第２の棚板を、棚支持部に支持された状態で着脱可能に固定している。これにより、机本体に対する棚本体の取付強度をより増強することができる。
【００７７】
さらに、本発明の実施の形態では、第１の棚板と第２の棚板とを連結する連結部として、第１の棚板の幅方向端部と第２の棚板の幅方向端部とを連結する側板を用い、第１の棚板または第２の棚板を棚支持部に支持した状態において、この側板を脚体に着脱可能に固定している。これにより、第１の棚板または第２の棚板と脚体との固定に必要な突起部や嵌合孔等の固定構造を可能な限り形成しなくてもよくなる。この結果、第１の棚板または第２の棚板の表面（例えば上面や下面）に固定構造による段差（凹凸）が存在して、第１の棚板または第２の棚板の使用勝手または美観を損ねる事態を、可能な限り回避することができる。これに加え、棚本体を、正面視で矩形の枠状構造体に形成することができることから、棚本体自身の強度を増強することができる。
【００７８】
また、本発明の実施の形態では、第１の棚板を、棚支持部と同じ奥行寸法を有する下棚板とし、第２の棚板を、第１の棚板よりも起立方向の上側に位置し且つ第１の棚板よりも長い奥行寸法を有する上棚板とし、上棚板が、棚支持部の奥行寸法分、下棚板よりも奥行方向の手前側に延在している。このため、第１机状態において、天板の奥行方向の奥端部に下棚板の奥行方向の手前端部を当接させることができる。これにより、天板と下棚板とを奥行方向に連続させることができ、この結果、天板の上面と下棚板の上面とを連続した面一の状態にできることから、天板付き家具の机上面の美観を確保しながら、天板および下棚板を机上面または棚板として使用し易くなる。また、第２机状態において、天板の奥行方向の奥端部に上棚板の奥行方向の手前端部を当接させることができる。これにより、天板と上棚板とを奥行方向に連続させることができる。この結果、天板の上面と上棚板の上面とを連続した面一の状態にできることから、天板付き家具の机上面の美観を確保しながら、机上面を拡張できるとともに、天板および上棚板を机上面または棚板として使用し易くなる。
【００７９】
さらに、本発明の実施の形態では、第１の棚板における奥行方向の奥端部と第２の棚板における奥行方向の奥端部とを背板によって連結し、この背板の上端部が、第１の棚板および第２の棚板のうち起立方向の上側に位置する棚板の上面よりも上方に突出するように、背板を構成している。この結果、第１の棚板および第２の棚板のうち上方の棚板（具体的には上棚板）に載置された物品が落下する事態を、背板の上端部によって防止することができる。
【００８０】
なお、上述した実施の形態では、上棚板３２の奥行寸法を下棚板３１よりも長くしていたが、本発明は、これに限定されるものではない。本発明において、上棚板３２の奥行寸法を下棚板３１の奥行寸法よりも短くしてもよい。この際、上棚板３２の奥行寸法を棚支持部２０ａ，２０ｂと同じ寸法とし、下棚板３１が、棚支持部２０ａ，２０ｂの奥行寸法分、上棚板３２よりも奥行方向の手前側に延在してもよい。
【００８１】
また、上述した実施の形態では、第２机状態の天板付き家具１において、上棚板３２が棚支持部２０ａ，２０ｂに支持されるとともに、下棚板３１が天板２１よりも起立方向Ｆ３の下側に位置していたが、本発明は、これに限定されるものではない。天板付き家具１を第２机状態にする際、棚本体３を上下反転させる等して、上棚板３２が棚支持部２０ａ，２０ｂに支持されるとともに、下棚板３１が天板２１よりも起立方向Ｆ３の上側に位置するように構成してもよい。この際、仕切り体３５は、上棚板３２から取り外し、必要に応じて、天板２１よりも上方の下棚板３１に取り付けてもよい。
【００８２】
さらに、上述した実施の形態では、第２机状態の天板付き家具１において、上棚板３２が、棚支持部２０ａ，２０ｂに支持され、着脱可能に固定されていたが、本発明は、これに限定されるものではない。天板付き家具１を第２机状態にする際、上棚板３２と棚支持部２０ａ，２０ｂとの固定に加えて、棚本体３の側板３３（具体的には右側板３３ａおよび左側板３３ｂ）と脚体２２（具体的には右脚体２２ａおよび左脚体２２ｂ）とが着脱可能に固定されてもよい。この際、右脚体２２ａおよび左脚体２２ｂの奥行方向Ｆ１の各奥端部に、ねじ等によるフック部を設け、右側板３３ａおよび左側板３３ｂの奥行方向Ｆ１の各手前端部に、このフック部に係合する凹状の係合部を設け、フック部に係合部を着脱可能に係合することにより、脚体２２の奥端部に側板３３を掛けて接合してもよい。
【００８３】
あるいは、第２机状態の天板付き家具１において、棚支持部２０ａ，２０ｂに右側板３３ａおよび左側板３３ｂの各下端面を着脱可能に固定する代わりに、棚支持部２０ａ，２０ｂに下棚板３１の幅方向Ｆ２の各端部下面を着脱可能に固定してもよい。
【００８４】
また、上述した実施の形態では、上棚板３２が、棚支持部２０ａ，２０ｂの奥行寸法分、下棚板３１よりも奥行方向Ｆ１の手前側に延在するようにして、上棚板３２の奥行寸法を下棚板３１の奥行寸法の２倍にしていたが、本発明は、これに限定されるものではない。本発明において、上棚板３２は、棚支持部２０ａ、２０ｂに支持されるために必要な奥行寸法分、下棚板３１よりも奥行方向Ｆ１の手前側に延在するものであってもよいし、下棚板３１の奥行寸法は、棚支持部２０ａ，２０ｂと異なる寸法であってもよい。この際、第１机状態において、天板２１と下棚板３１との間に間隙が形成されてもよいし、第２机状態において、天板２１と上棚板３２との間に間隙が形成されてもよい。
【００８５】
さらに、上述した実施の形態では、第１机状態において、天板２１の奥行方向奥側に並ぶ下棚板３１を下段の物品収容棚として活用し、第２机状態において、天板２１の奥行方向奥側に並ぶ上棚板３２のうち、延在部３２ａを補助天板として活用し、面対向部３２ｂを上段の物品収容棚として活用していたが、本発明は、これに限定されるものではない。第１机状態において、下棚板３１は、その全域に亘り天板として機能してもよく、この下棚板３１の全上面と机本体２の天板２１の全上面とを加えた全体の上面が、天板付き家具１の机上面として活用されてもよい。また、第２机状態において、上棚板３２は、その全域に亘り天板として機能してもよく、この上棚板３２の全上面と机本体２の天板２１の全上面とを加えた全体の上面が、天板付き家具１の机上面として活用されてもよい。
【００８６】
また、上述した実施の形態では、棚本体３において、背板３４の上部（背板上部３４ｂ）を上棚板３２の上面よりも上方に突出させ、この背板上部３４ｂによって上棚板３２からの物品落下を防止していたが、本発明は、これに限定されるものではない。上棚板３２の奥行方向Ｆ１の奥端部に、上方に向かい起立して上棚板３２の上面よりも上方に突出する起立部を設け、この起立部によって上棚板３２からの物品落下を防止してもよい。この場合、背板３４は、棚本体３に配置されていなくてもよい。
【００８７】
また、上述した実施の形態により本発明が限定されるものではなく、上述した各構成要素を適宜組み合わせて構成したものも本発明に含まれる。その他、上述した実施の形態に基づいて当業者等によりなされる他の実施の形態、実施例および運用技術等は全て本発明に含まれる。
【符号の説明】
【００８８】
１  天板付き家具
２  机本体
３  棚本体
５  間隙
１０  机上面
１５  接合金具
１６  接合ねじ
２０ａ，２０ｂ  棚支持部
２１  天板
２２  脚体
２２ａ  右脚体
２２ｂ  左脚体
２３  引き出しユニット
２４  引き出し支持体
２５  幕板
２６  脚補強体
２７  フック
２８ａ，２８ｂ  突起部
２９ａ，２９ｂ  挿入孔
３０  棚補強板
３１  下棚板
３２  上棚板
３２ａ  延在部
３２ｂ  面対向部
３３  側板
３３ａ  右側板
３３ｂ  左側板
３４  背板
３４ａ  開口部
３４ｂ  背板上部
３５  仕切り体
３６ａ，３６ｂ，３８ａ，３８ｂ  嵌合孔
３７ａ，３７ｂ，３９ａ，３９ｂ  挿入孔
Ｆ１  奥行方向
Ｆ２  幅方向
Ｆ３  起立方向
【図１】
0006422373.tif 000002
【図２】
0006422373.tif 000003
【図３】
0006422373.tif 000004
【図４】
0006422373.tif 000005
【図５】
0006422373.tif 000006
【図６】
0006422373.tif 000007
【図７】
0006422373.tif 000008
【図８】
0006422373.tif 000009
【図９】
0006422373.tif 000010
【図１０】
0006422373.tif 000011
【図１１】
0006422373.tif 000012
【図１２】
0006422373.tif 000013